(57)【要約】      （修正有）【課題】串焼き用具として使用できる他、網焼き調理（焦げ防止用焼き網）にも使用できる串焼き調理具を提供する。【解決手段】適宜大きさの焼き網体１に、対向脚体を設けると共に、対向脚体の接地側に適宜間隔で串載せ凹部２３、３１を設け、更には対向脚体の対向間隔と相違する対向間隔で、対向脚体を連結する対向載置部３を設け、焼き網体１を上方にして対向脚体を下方にして使用する場合には、焼き網体１上で焼き調理（遠火調理）を行うことができ、用具を上下逆転し焼き網体１を下方にして使用する場合は、串載せ凹部２３，３１に食品素材を串刺しした調理対象を差し渡すことで串焼き調理を行うことができる。【選択図】図３
2019072167.tif 000002
【特許請求の範囲】
【請求項１】
適宜大きさの焼き網体に、対向脚体を設けると共に、対向脚体の接地側に適宜間隔で串載せ凹部を設けてなることを特徴とする串焼き用調理具。
【請求項２】
対向脚体を焼き網体の高さ維持をなす脚縦杆と脚縦杆の下方部分を連結する足横杆で構成する線材で形成すると共に、足横杆を折曲して串載せ凹部を設けてなる請求項１記載の串焼き用調理具。
【請求項３】
対向脚体の対向間隔と相違する対向間隔で、対向脚体を連結する対向載置部を設けてなる請求項１又は２記載の串焼き用調理具。
【請求項４】
対向載置部の接地側に適宜間隔で串載せ凹部を設けてなる請求項３記載の串焼き用調理具。
【発明の詳細な説明】
【技術分野】
【０００１】
本発明は、串焼き用調理具に関するものである。
【背景技術】
【０００２】
焼き鳥等の串焼き調理は、調理対象の食品素材を串刺しし、この串刺し食品を熱源の周囲に配置し、或いは上方に保持させて焼き調理するもので、特に熱源の上方での調理には串焼き台が使用されている。串焼き台の一般的な構成は特許文献１，２に開示されているとおり、矩形縦板枠の上縁に係止溝部を設け、適宜な熱源上に配置し、前記係止溝に串を架設して焼き調理を行なう器具である。
【０００３】
また特許文献３には、上縁部分に串載置凹部を設けた保持体を、網板上に適宜間隔で対向配置した串焼き調理具が開示されている。
【０００４】
また特に特許文献２には、魚焼きと串焼きの両方に使えて且つ収納に便利な焼き調理器具として、受け皿と、該受け皿にそれぞれ装着可能な焼き網および串受台（串焼き台）で構成し、魚焼きと串焼きと各々器具で調理するが、未使用時には組み合わせることでコンパクト収納を実現している。
【先行技術文献】
【特許文献】
【０００５】
【特許文献１】特開２００４−８１６６２号公報。
【特許文献２】特開２００５−８７２９６号公報。
【特許文献３】登録実用新案３１６７９０８号公報。
【発明の概要】
【発明が解決しようとする課題】
【０００６】
従前の串焼き台は、熱源上に配置して使用するものであるが、基本的に串焼き器具としてしか使われていない。例えば特許文献２に開示されているように魚焼きと串焼きの両方に使用する器具は二部材で構成されている。しかし用具の簡素化を考慮すると兼用部材が好ましい。そこで本発明はバーベキュー（肉・魚・野菜等）と串焼きの両方に使用する事ができる串焼き用調理具を提案した。
【課題を解決するための手段】
【０００７】
本発明の請求項１記載に係る串焼き用調理具は、適宜大きさの焼き網体に、対向脚体を設けると共に、対向脚体の接地側に適宜間隔で串載せ凹部を設けてなることを特徴とするものである。
【０００８】
而して前記調理具は、適宜な熱源上に配置しての使用や、網板や鉄板を配置したバーベキューコンロ等に載置して使用するもので、焼き網体を上方にして対向脚体を下方にして使用する場合には、焼き網体上でバーベキュー（肉・魚・野菜等）等の焼き調理（特に遠火調理）を行うことができ、用具を上下逆転し焼き網体を下方にして使用する場合は、串載せ凹部に食品素材を串刺しした調理対象を差し渡すことで串焼き調理を行うことができる。
【０００９】
また本発明の請求項２記載に係る串焼き用調理具は、対向脚体を焼き網体の高さ維持をなす脚縦杆と脚縦杆の下方部分を連結する足横杆で構成する金属線材で形成すると共に、足横杆を折曲して串載せ凹部を設けてなるもので、加工容易な線材の採用によって安価に製造できる。
【００１０】
また本発明の請求項３記載に係る串焼き用調理具は、対向脚体の対向間隔と相違する対向間隔、対向脚体を連結する対向載置部を設けてなるもので、対向脚体上に調理対象を差し渡して焼き調理を行う他、対向間隔が相違する対向載置部間でも調理対象を差し渡して焼き調理を行うことができるので、調理対象の串長に応じて使い分ける事ができる。
【発明の効果】
【００１１】
本発明の構成は前記のとおりで、単一部材の調理用具で網焼きと串焼きの両方に対応できたものである。
【図面の簡単な説明】
【００１２】
【図１】本発明の実施形態（第一実施例）の全体斜視図。
【図２】同図（上下逆転状態）。
【図３】同使用状態を示す説明図。
【図４】同使用状態を示す説明図。
【図５】同第二実施例の全体斜視図。
【図６】同使用状態を示す説明図。
【図７】同第三実施例の全体斜視図。
【図８】同図（上下逆転状態）。
【発明を実施するための形態】
【００１３】
次に本発明の実施形態について説明する。図１乃至４に示したものは、第一実施例の調理用具で、焼き網体１と、対向脚体２と、対向載置部３を備えてなるものである。
【００１４】
焼き網体１は、矩形、円形、楕円形等任意の形状を採用できるが、好ましくは図示する細長矩形状の焼き網に形成したものである。
【００１５】
対向脚体２は、焼き網体１の長手方向で対向する位置に設けたもので、脚縦杆２１と脚縦杆２１の下方部分を連結する足横杆２２を備えるように金属線材をコの字状に折曲して形成したものである。特に焼き網体１を上方とした場合の接地部分となる足横杆２２は、用具を上下逆転した際に適宜間隔で凹部（串載せ凹部２３）を備えるように、凹凸状に形成したものであり、脚縦杆２１は、遠火調理（焼き過ぎ防止調理）に対応する焼き網体１の高さを考慮して定めるものである。
【００１６】
対向載置部３は、対向する脚縦杆２１の下方部分を金属線材で連結して形成したもので、適宜ピッチで波形に折曲して串載せ凹部３１を設けてなるものである。
【００１７】
而して前記調理具は、例えば上面に網部品や鉄板等を載置しているバーベキューコンロ等の適宜な調理熱源において使用するもので、コンロ上に焼き網体１を上方にして対向脚体を下方にして載置し、焼き網体１上で焼き調理を行うと、当該調理は焦げ防止（焼き過ぎ防止）の遠火調理であり、本用具は焼き過ぎ防止網として機能するものである。
【００１８】
更に本用具を上下逆転し焼き網体１をコンロの網部品や鉄板等に載置すると、対向脚体２及び対向載置部３が起立状態となるので、食品素材を串刺しした長めの調理対象Ａ或いは短めの調理対象Ｂを、その串長に応じた図３に示すように対向脚体２の串載せ凹部２３間に差し渡し、或いは図４に示すように対向載置部３の串載せ凹部３１に差し渡して串焼きを実施する事ができる。
【００１９】
また本発明は、図５，６に示す第二実施例のように、対向載置部３ａを脚縦杆２１の下方において下端より上の位置で連結すると、串焼き調理に際して足横杆２２が対向載置部３ａよりも突出することになり、調理対象Ｂが転がり落ちることが無いので、特に串載せ凹部２３を備えなくとも良い。
【００２０】
更に図７，８に示す第三実施例のように、対向載置部３，３ａを備えなくとも、対向脚体２を備えなくとも、串焼き調理の用具として使用できるものである。
【００２１】
また本発明の対向脚体２及び対向載置部３，３ａは、線材で形成せずに、薄板で形成しても良い。
【符号の説明】
【００２２】
１      焼き網体
２      対向脚体
２１    脚縦杆
２２    足横杆
２３    串載せ凹部
３，３ａ    対向載置部
３１    串載せ凹部
【図１】
2019072167.tif 000003
【図２】
2019072167.tif 000004
【図３】
2019072167.tif 000005
【図４】
2019072167.tif 000006
【図５】
2019072167.tif 000007
【図６】
2019072167.tif 000008
【図７】
2019072167.tif 000009
【図８】
2019072167.tif 000010